(57)【要約】【課題】容易かつ確実に、収容された栽培土に法面を形成でき、その法面を維持することができるプランターを提供すること。【解決手段】プランター１は、前板５、後板６、側板３、４、底板７、中板９、土止め板８ａ〜８ｃを有している。後板６の頂部６１の高さは、前板５の頂部５１の高さよりも高く、各側板３、４の高さは、その後方の部位を除いて、前方から後方に向って漸増している。各土止め板８ａ〜８ｃは、前板５と後板６との間に配置され、前後方向に沿って、所定の間隔で並設されている。土止め板８ａの頂部８１の高さは、前板５の頂部５１の高さよりも高く、土止め板８ｂの頂部８１の高さは、土止め板８ａの頂部８１の高さよりも高く、土止め板８ｃの頂部８１の高さは、土止め板８ｂの頂部８１の高さよりも高く、後板６の頂部６１の高さは、土止め板８ｃの頂部８１の高さよりも高い。【選択図】図３
2010220514.tif 000002
【特許請求の範囲】
【請求項１】
前方に配置された前板と、
後方に配置され、前記前板の頂部よりも高い頂部を有する後板と、
側方に配置された１対の側板と、
底に配置された底板と、
前記前板と前記後板との間に配置され、前記前板の頂部よりも高く、前記後板の頂部よりも低い頂部を有し、当該プランター内に収容される栽培土をせき止める少なくとも１つの土止め板とを備えることを特徴とするプランター。
【請求項２】
前方に配置された前板と、
側方に配置され、後方で連結された１対の側板と、
底に配置された底板と、
前記前板よりも後方に配置され、前記前板の頂部よりも高い頂部を有し、当該プランター内に収容される栽培土をせき止める少なくとも１つの土止め板とを備えることを特徴とするプランター。
【請求項３】
後方に配置された後板と、
側方に配置され、前方で連結された１対の側板と、
底に配置された底板と、
前記後板よりも前方に配置され、前記後板の頂部よりも低い頂部を有し、当該プランター内に収容される栽培土をせき止める少なくとも１つの土止め板とを備えることを特徴とするプランター。
【請求項４】
前記前板には、複数の開口が形成されている請求項１または２に記載のプランター。
【請求項５】
前記後板には、複数の開口が形成されている請求項１または３に記載のプランター。
【請求項６】
前記土止め板には、複数の開口が形成されている請求項１ないし５のいずれかに記載のプランター。
【請求項７】
前記土止め板は、着脱自在である請求項１ないし６のいずれかに記載のプランター。
【請求項８】
前記土止め板は、異なる形状のものに交換可能である請求項１ないし７のいずれかに記載のプランター。
【請求項９】
前記土止め板の下部は、前記底板に到達していない請求項１ないし８のいずれかに記載のプランター。
【請求項１０】
前記土止め板の下部は、前記底板に到達している請求項１ないし８のいずれかに記載のプランター。
【請求項１１】
前記側板は、その高さが、前方から後方に向って漸増している部分を有する請求項１ないし１０のいずれかに記載のプランター。
【請求項１２】
前方と後方との栽培土の量の差を低減する土量差低減手段を有する請求項１ないし１１のいずれかに記載のプランター。
【請求項１３】
第１の土止め板と、該第１の土止め板よりも後方に配置された第２の土止め板とを含む複数の前記土止め板を有し、該各土止め板は、前後方向に沿って並設されており、
前記第２の土止め板の頂部の高さは、前記第１の土止め板の頂部の高さよりも高い請求項１ないし１２のいずれかに記載のプランター。
【請求項１４】
第１の土止め板と、該第１の土止め板よりも後方に配置された第２の土止め板とを含む複数の前記土止め板を有し、該各土止め板は、前後方向に沿って並設されており、
前記第１の土止め板の頂部の高さは、前記第２の土止め板の下部の高さよりも高い請求項１ないし１３のいずれかに記載のプランター。
【請求項１５】
１つまたは複数の前記土止め板を有し、該各土止め板は、前後方向に沿って並設されており、
前記前板の頂部の高さは、該前板に最も近い前記土止め板の下部の高さよりも高い請求項１ないし１４のいずれかに記載のプランター。
【発明の詳細な説明】
【技術分野】
【０００１】
本発明は、プランターに関するものである。
【背景技術】
【０００２】
植物の栽培に用いられるプランターが知られている。従来のプランターでは、そのプランター内に、表面が平らになるように栽培土が収容され、各種の植物が栽培されるのが一般的である（例えば、特許文献１参照）。
【０００３】
ところで、栽培土の表面を平らではなく、法面にすることができると、傾斜した山肌のような景観（雰囲気）を得ることができる。
【０００４】
しかしながら、従来のプランターでは、そのプランター内に収容された栽培土に法面を形成することは、困難であり、また、法面を形成することができても、その法面は、徐々に崩れてゆき、平らになってしまう。
【先行技術文献】
【特許文献】
【０００５】
【特許文献１】特開２００８−２９５６３０号公報
【発明の概要】
【発明が解決しようとする課題】
【０００６】
本発明の目的は、容易かつ確実に、収容された栽培土に法面を形成でき、その法面を維持することができるプランターを提供することにある。
【課題を解決するための手段】
【０００７】
このような目的は、下記（１）〜（１５）の本発明により達成される。
（１）  前方に配置された前板と、
後方に配置され、前記前板の頂部よりも高い頂部を有する後板と、
側方に配置された１対の側板と、
底に配置された底板と、
前記前板と前記後板との間に配置され、前記前板の頂部よりも高く、前記後板の頂部よりも低い頂部を有し、当該プランター内に収容される栽培土をせき止める少なくとも１つの土止め板とを備えることを特徴とするプランター。
【０００８】
（２）  前方に配置された前板と、
側方に配置され、後方で連結された１対の側板と、
底に配置された底板と、
前記前板よりも後方に配置され、前記前板の頂部よりも高い頂部を有し、当該プランター内に収容される栽培土をせき止める少なくとも１つの土止め板とを備えることを特徴とするプランター。
【０００９】
（３）  後方に配置された後板と、
側方に配置され、前方で連結された１対の側板と、
底に配置された底板と、
前記後板よりも前方に配置され、前記後板の頂部よりも低い頂部を有し、当該プランター内に収容される栽培土をせき止める少なくとも１つの土止め板とを備えることを特徴とするプランター。
【００１０】
（４）  前記前板には、複数の開口が形成されている上記（１）または（２）に記載のプランター。
【００１１】
（５）  前記後板には、複数の開口が形成されている上記（１）または（３）に記載のプランター。
【００１２】
（６）  前記土止め板には、複数の開口が形成されている上記（１）ないし（５）のいずれかに記載のプランター。
【００１３】
（７）  前記土止め板は、着脱自在である上記（１）ないし（６）のいずれかに記載のプランター。
【００１４】
（８）  前記土止め板は、異なる形状のものに交換可能である上記（１）ないし（７）のいずれかに記載のプランター。
【００１５】
（９）  前記土止め板の下部は、前記底板に到達していない上記（１）ないし（８）のいずれかに記載のプランター。
【００１６】
（１０）  前記土止め板の下部は、前記底板に到達している上記（１）ないし（８）のいずれかに記載のプランター。
【００１７】
（１１）  前記側板は、その高さが、前方から後方に向って漸増している部分を有する上記（１）ないし（１０）のいずれかに記載のプランター。
【００１８】
（１２）  前方と後方との栽培土の量の差を低減する土量差低減手段を有する上記（１）ないし（１１）のいずれかに記載のプランター。
【００１９】
（１３）  第１の土止め板と、該第１の土止め板よりも後方に配置された第２の土止め板とを含む複数の前記土止め板を有し、該各土止め板は、前後方向に沿って並設されており、
前記第２の土止め板の頂部の高さは、前記第１の土止め板の頂部の高さよりも高い上記（１）ないし（１２）のいずれかに記載のプランター。
【００２０】
（１４）  第１の土止め板と、該第１の土止め板よりも後方に配置された第２の土止め板とを含む複数の前記土止め板を有し、該各土止め板は、前後方向に沿って並設されており、
前記第１の土止め板の頂部の高さは、前記第２の土止め板の下部の高さよりも高い上記（１）ないし（１３）のいずれかに記載のプランター。
【００２１】
（１５）  １つまたは複数の前記土止め板を有し、該各土止め板は、前後方向に沿って並設されており、
前記前板の頂部の高さは、該前板に最も近い前記土止め板の下部の高さよりも高い上記（１）ないし（１４）のいずれかに記載のプランター。
【発明の効果】
【００２２】
本発明によれば、土止め板により、プランター内に収容された栽培土をせき止めることができるので、その栽培土に、容易かつ確実に法面を形成することができ、また、形成された法面を確実に維持することができる。
【図面の簡単な説明】
【００２３】
【図１】本発明のプランターの第１実施形態を示す斜視図である。
【図２】図１に示すプランターの断面側面図である。
【図３】図１に示すプランターの断面側面図である。
【図４】図１に示すプランターの使用例を示す斜視図である。
【図５】本発明のプランターの第２実施形態を示す断面側面図である。
【図６】本発明のプランターの第３実施形態を示す断面側面図である。
【図７】本発明のプランターの第４実施形態を示す断面側面図である。
【図８】本発明のプランターの第５実施形態を示す断面側面図である。
【図９】図８に示すプランターの溝の近傍を拡大して示す斜視図である。
【図１０】本発明のプランターの第６実施形態を示す平面図である。
【図１１】図１０に示すプランターの土止め板の側方の端部の近傍を拡大して示す平面図である。
【図１２】本発明のプランターの第７実施形態を示す平面図である。
【図１３】本発明のプランターの第８実施形態を示す平面図である。
【発明を実施するための形態】
【００２４】
以下、本発明のプランターを添付図面に示す好適な実施形態に基づいて詳細に説明する。
【００２５】
＜第１実施形態＞
図１は、本発明のプランターの第１実施形態を示す斜視図、図２および図３は、図１に示すプランターの断面側面図、図４は、図１に示すプランターの使用例を示す斜視図である。図１および図２には、プランターで植物が栽培されている状態、図３には、プランターの空の状態が示されている。
【００２６】
なお、以下では、図２および図３中の上側を「上」、下側を「下」、左側を「前」、右側を「後」として説明を行う。
【００２７】
図１〜図３に示すように、プランター１は、全体形状が上部に開口を有する箱状をなしており、前方に配置された前板５と、後方に配置された後板６と、側方に配置され、前板５と後板６とを連結する１対の側板（横板）３、４と、底（下方）に配置された底板７と、底板７の上方に配置された中板９と、プランター１内に収容される栽培土（土）をせき止める複数（図示の構成では３つ）の土止め板８とを有している。前板５、後板６、側板３、４および中板９により、栽培土を収容（収納）する収容部（収納部）２が構成される。なお、このプランター１の形状は、平面視で（図２および図３中上側から見たとき）、四角形をなしている。
【００２８】
前板５の頂部（上部）５１には、手掛け５５が形成され、また、後板６の頂部（上部）６１には、手掛け６５が形成されている。これにより、この手掛け５５および６５に手指を掛けて、プランター１を持ち上げることができ、特に、植物を栽培している状態のプランター１でも容易に移動させることができる。
【００２９】
後板６の頂部６１の高さは、前板５の頂部５１の高さよりも高く、各側板３、４の高さは、その後方の部位を除いて、前方から後方に向って漸増している。
【００３０】
各土止め板８は、前板５と後板６との間に配置され、前後方向に沿って、所定の間隔で並設されている。また、各土止め板８の側方の両端部は、側板３、４まで到達しており、収容部２は、各土止め板８により、平面視で（図２および図３中上側から見たとき）、複数の領域（図示の構成では４つの領域）に仕切られている。
【００３１】
各土止め板８により、プランター１内に収容されてる栽培土をせき止めることができ、その栽培土の前方への流出を防止することができるとともに、土圧によるプランター１の変形、特に側方への膨らみ（はらみ）を防止することができる。
【００３２】
この土止め板８の数は、特に限定されず、プランター１の用途や寸法等の諸条件に応じて適宜設定されるものであり、１個でもよく、また、複数個でもよい。但し、土止め板８の数は、２個以上が好ましく、２〜３０個程度がより好ましく、３〜１０個程度がさらに好ましい。
【００３３】
また、隣り合う土止め板８の前後方向の間隔は、特に限定されず、プランター１の用途や寸法等の諸条件に応じて適宜設定されるものであるが、例えば、１０〜１００ｃｍ程度が好ましく、１０〜２０ｃｍ程度がより好ましい。
【００３４】
なお、本実施例では、代表的に、土止め板８の数が３個の場合を説明する。また、図２および図３に示すように、土止め板８を、前方から後方に向って、順に、土止め板８ａ、８ｂ、８ｃと表記し、これらの土止め板を総称する場合には、「土止め板８」と言い、個々を区別して説明する場合には、「土止め板８ａ、土止め板８ｂ、土止め板８ｃ」と言う。
【００３５】
ここで、前板５に最も近い土止め板８ａの頂部８１の高さは、前板５の頂部５１の高さよりも高く、また、土止め板８ｂの頂部８１の高さは、土止め板８ａの頂部８１の高さよりも高く、また、土止め板８ｃの頂部８１の高さは、土止め板８ｂの頂部８１の高さよりも高く、また、後板６の頂部６１の高さは、土止め板８ｃの頂部８１の高さよりも高い。
【００３６】
これにより、容易かつ確実に、プランター１内に収容された栽培土を後方から前方へ下るように傾斜させることができ、法面を形成することがで、また、形成された法面を確実に維持することができる。
【００３７】
また、各土止め板８ａ、８ｂ、８ｃの下部８２は、中板９に到達していない。これにより、各部の植物は、自由に根を張ることができる。
【００３８】
また、土止め板８ｂの頂部８１の高さは、土止め板８ｃの下部８２の高さよりも高く、また、土止め板８ａの頂部８１の高さは、土止め板８ｂの下部８２の高さよりも高く、また、前板５の頂部５１の高さは、土止め板８ａの下部８２の高さよりも高い。
【００３９】
これにより、より確実に、プランター１内に収容された栽培土の前方への流出を防止することができる。
【００４０】
また、土止め板８ｂの下部８２の高さは、土止め板８ａの下部８２の高さよりも高く、また、土止め板８ｃの下部８２の高さは、土止め板８ｂの下部８２の高さよりも高い。
【００４１】
なお、プランター１の後方の部位では、栽培土の深さが深くなるので、そこには、例えば、根を深く張る、背の高い樹木等でも確実に植えることができる。
【００４２】
中板９は、下側に複数の脚部９２を有し、底板７上に載置されている。各脚部９２は、スペーサとしての機能を有し、各脚部９２により、中板９と底板７との間に、所定の空間（間隙）が形成される。
【００４３】
また、中板９には、複数の開口９１が形成されており、プランター１内に供給された水（液体）が、その開口９１を介して、底板７上に流出し得るようになっている。
【００４４】
底板７は、後方に、排出口７１を有している。また、底板７は、排出口７１の部位が、鉛直方向で最も下になるように、傾斜している。これにより、前記底板７上に流出した水は、排出口７１に向って流れ、その排出口７１から排出される。
【００４５】
前記各側板３、４、前板５、後板６、底板７、中板９および各土止め板８の構成材料としては、それぞれ、特に限定されず、例えば、各種の樹脂材料、木材、金属材料等を用いることができる。
【００４６】
また、プランター１の寸法は、特に限定されず、その用途や諸条件に応じて適宜設定されるものであるが、例えば、前後方向（縦方向）の長さＬ１は、２０〜１２０ｃｍ程度が好ましく、また、横方向の長さＬ２は、１０〜１２０ｃｍ程度が好ましく、また、前方の鉛直方向の長さ（高さ）ｈ１は、１０〜１００ｃｍ程度が好ましく、また、後方の鉛直方向の長さ（高さ）ｈ２は、２０〜１５０ｃｍが好ましい。
【００４７】
以上説明したように、このプランター１によれば、土止め板８により、プランター１内に収容された栽培土をせき止めることができるので、その栽培土に、容易かつ確実に法面を形成することができ、また、形成された法面を確実に維持することができる。
【００４８】
また、プランター１は、単独で用いることができることはもちろんのこと、複数個を並べて用いることもできる。例えば、図４に示すように、複数（図示の構成では５つ）のプランター１を、隣り合うプランター１同士が互いに接触するように、横方向に並設することができ、これにより、その全体を所望の大きさや形状にすることができる。
【００４９】
なお、本発明では、後板６の頂部６１の高さと、土止め板８ｃの頂部８１の高さとが等しくてもよい。
【００５０】
また、本発明では、隣り合う２つの土止め板８の頂部８１の高さが互いに等しくてもよい。
【００５１】
また、本発明では、中板９が省略されていてもよい。この場合は、前板５、後板６、側板３、４および底板７により、収容部２が構成される。
【００５２】
そして、中板９が省略されている場合は、例えば、底板７に、複数の開口が形成され、その開口から直接、水が排出される。
【００５３】
また、中板９が省略されている場合は、例えば、各土止め板８の下部８２が底板７に到達しないように構成する。
【００５４】
＜第２実施形態＞
図５は、本発明のプランターの第２実施形態を示す斜視図である。
【００５５】
なお、以下では、図５中の上側を「上」、下側を「下」、左側を「前」、右側を「後」として説明を行う。
【００５６】
以下、第２実施形態について、前述した第１実施形態との相違点を中心に説明し、同様の事項については、その説明を省略する。
【００５７】
図５に示すように、第２実施形態のプランター１では、前板５に、複数の開口５３が形成されている。同様に、後板６に、複数の開口６３が形成されている。
【００５８】
これにより、土圧による影響をさらに減少させることができ、その土圧によるプランター１の変形、特に側方への膨らみをより確実に防止することができる。
【００５９】
このプランター１によれば、前述した第１実施形態と同様の効果が得られる。
なお、本発明では、前板５の開口５３と後板の開口６３とのいずれか一方を省略してもよい。
【００６０】
＜第３実施形態＞
図６は、本発明のプランターの第３実施形態を示す斜視図である。
【００６１】
なお、以下では、図６中の上側を「上」、下側を「下」、左側を「前」、右側を「後」として説明を行う。
【００６２】
以下、第３実施形態について、前述した第１実施形態との相違点を中心に説明し、同様の事項については、その説明を省略する。
【００６３】
図６に示すように、第３実施形態のプランター１では、各土止め板８ａ、８ｂ、８ｃの下部８２は、中板９に到達している。これにより、側板３、４、中板９、前板５および土止め板８ａにより、第１の領域１１１が画成され、また、側板３、４、中板９、土止め板８ａおよび８ｂにより、第２の領域１１２が画成され、また、側板３、４、中板９、土止め板８ｂおよび８ｃにより、第３の領域１１３が画成され、また、側板３、４、中板９、土止め板８ｃおよび後板６により、第４の領域１１４が画成され、これらがすべて分離される。
【００６４】
これより、第１の領域１１１〜第４の領域１１４の植物は、それぞれ、他の領域に、その根を張ることができなくなり、芽を出すことができなくなる。これによって、各領域で栽培する植物を、その領域のみで栽培することができ、例えば、竹のようなものでも、確実に、所定の領域のみで栽培することができる。
【００６５】
このプランター１によれば、前述した第１実施形態と同様の効果が得られる。
なお、本発明では、中板９が省略されている場合は、例えば、各土止め板８の下部８２が底板７に到達するように構成する。これにより、側板３、４、底板７、前板５および土止め板８ａにより、第１の領域１１１が画成され、また、側板３、４、底板７、土止め板８ａおよび８ｂにより、第２の領域１１２が画成され、また、側板３、４、底板７、土止め板８ｂおよび８ｃにより、第３の領域１１３が画成され、また、側板３、４、底板７、土止め板８ｃおよび後板６により、第４の領域１１４が画成され、これらがすべて分離される。
【００６６】
＜第４実施形態＞
図７は、本発明のプランターの第４実施形態を示す斜視図である。
【００６７】
なお、以下では、図７中の上側を「上」、下側を「下」、左側を「前」、右側を「後」として説明を行う。
【００６８】
以下、第４実施形態について、前述した第１実施形態との相違点を中心に説明し、同様の事項については、その説明を省略する。
【００６９】
第４実施形態は、前方と後方との栽培土の量の差を低減する土量差低減手段を有すること以外は前記第１実施形態と同様である。
【００７０】
すなわち、図７に示すように、第４実施形態のプランター１では、中板９の高さは、前方から後方に向って段階的に増大している。すなわち、中板９が土量差低減手段を有している。
【００７１】
これにより、前方と後方との栽培土の量の差を低減することができ、栽培土の全体量を減少させることができ、これによって、植物を栽培している状態のプランター１を容易に移動させることができる。
【００７２】
なお、中板９の高さは、前方から後方に向って連続的に増大していてもよい。
このプランター１によれば、前述した第１実施形態と同様の効果が得られる。
【００７３】
そして、このプランター１は、例えば、背の高い樹木等が不要の場合に好適に用いることができる。
【００７４】
なお、本発明では、中板９が省略されている場合は、例えば、底板７の高さを、前方から後方に向って連続的または段階的に増大させる。すなわち、底板７に土量差低減手段を設ける。
【００７５】
＜第５実施形態＞
図８は、本発明のプランターの第５実施形態を示す斜視図、図９は、図８に示すプランターの溝の近傍を拡大して示す斜視図である。
【００７６】
なお、以下では、図８中の上側を「上」、下側を「下」、左側を「前」、右側を「後」として説明を行う。
【００７７】
以下、第５実施形態について、前述した第１実施形態との相違点を中心に説明し、同様の事項については、その説明を省略する。
【００７８】
図８に示すように、第５実施形態のプランター１では、各土止め板８ａ、８ｂ、８ｃに、複数の開口８３が形成されている。これにより、水を後方のみに供給すれば、その水は、各土止め板８の開口８３を通過し、前方まで供給される。すなわち、プランター１内の全体に供給される。
【００７９】
また、図８および図９に示すように、後板６の頂部６１の前側には、溝部６４が設けられている。この溝部６４は、下側に底部６４１を有し、側板３から側板４まで延在している。
【００８０】
また、溝部６４の底部６４１および側部６４２には、それぞれ、複数の開口６４３が並設されている。
【００８１】
この溝部６４内に、所定の箇所から水を供給すると、その水は、溝部６４を流れ、各開口６４３からプランター１内の後方に供給される。そして、前述したように、その水は、前方まで供給される。
このプランター１によれば、前述した第１実施形態と同様の効果が得られる。
【００８２】
＜第６実施形態＞
図１０は、本発明のプランターの第６実施形態を示す平面、図１１は、図１０に示すプランターの土止め板の側方の端部の近傍を拡大して示す平面図である。
【００８３】
なお、以下では、図１０および図１１中の上側を「後」、下側を「前」、左側を、「左」、右側を「右」として説明を行う。
【００８４】
以下、第６実施形態について、前述した第１実施形態との相違点を中心に説明し、同様の事項については、その説明を省略する。
【００８５】
図１０および図１１に示すように、第６実施形態のプランター１では、各土止め板８ａ、８ｂ、８ｃが、収容部２に、着脱自在に装着（設置）されるよう構成されている。なお、以下では、代表的に、土止め板８ｃについて説明する。
【００８６】
図１１に示すように、土止め板８ｃの右側の端部には、Ｌ字状のフック８４が螺子留めされている。このフック８４は、土止め板８ｃの頂部８１から下部８２まで延在している。
【００８７】
一方、側板４の土止め板８ｃの右側の端部に対応する部位には、フック８４の形状に対応する形状、すなわち、Ｌ字状の溝４１が形成されている。この溝４１は、側板４の上部から土止め板８ｃの下部８２に対応する部位まで延在している。
【００８８】
前記と同様に、土止め板８ｃの左側の端部には、Ｌ字状のフック８４が螺子留めされており、側板３の土止め板８ｃの左側の端部に対応する部位には、Ｌ字状の溝３１が形成されている。
【００８９】
土止め板８ｃを収容部２に装着する際は、各フック８４を、それぞれ、プランター１の上方から側板３の溝３１および側板４の溝４１に挿入する。これにより、土止め板８ｃは、収容部２に装着され、各フック８４により、その土止め板８ｃの離脱を阻止することができる。
【００９０】
また、土止め板８ｃは、異なる形状のもの、例えば、複数の開口が形成されたもの（図８参照）と、開口が形成されていないもの（図３参照）とに交換可能なようになっている。これにより、用途等に応じて、土止め板８ｃの種類を変更することができ、汎用性が広がる。
このプランター１によれば、前述した第１実施形態と同様の効果が得られる。
【００９１】
＜第７実施形態＞
図１２は、本発明のプランターの第７実施形態を示す平面である。
【００９２】
なお、以下では、図１２中の上側を「後」、下側を「前」、左側を、「左」、右側を「右」として説明を行う。
【００９３】
以下、第７実施形態について、前述した第１実施形態との相違点を中心に説明し、同様の事項については、その説明を省略する。
【００９４】
図１２に示すように、第７実施形態のプランター１では、後板６が省略されており、側板３と側板４とは、互いの後方の端部同士が連結されている（後方で連結されている）。このプランター１の形状は、平面視で、三角形をなしている。
【００９５】
また、側板３および４の上部には、それぞれ、手掛け３５および４５が形成されている。
このプランター１によれば、前述した第１実施形態と同様の効果が得られる。
【００９６】
＜第８実施形態＞
図１３は、本発明のプランターの第８実施形態を示す平面である。
【００９７】
なお、以下では、図１３中の上側を「後」、下側を「前」、左側を、「左」、右側を「右」として説明を行う。
【００９８】
以下、第８実施形態について、前述した第１実施形態との相違点を中心に説明し、同様の事項については、その説明を省略する。
【００９９】
図１３に示すように、第８実施形態のプランター１では、前板５が省略されており、側板３と側板４とは、互いの前方の端部同士が連結されている（前方で連結されている）。このプランター１の形状は、平面視で、三角形をなしている。
【０１００】
また、側板３および４の上部には、それぞれ、手掛け３５および４５が形成されている。
このプランター１によれば、前述した第１実施形態と同様の効果が得られる。
【０１０１】
以上、本発明のプランターを、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【０１０２】
また、本発明は、前記各実施形態のうちの、任意の２以上の構成（特徴）を組み合わせたものであってもよい。
【０１０３】
また、プランターの形状は、前記実施形態の形状には限定されない。
また、プランター１を設置する場所は、特に限定されず、屋内でもよく、また、屋外でもよい。
【０１０４】
具体例としては、例えば、ビルディング、マンション、住宅、駐車場、植物園、駅、空港等が挙げられ、それらの、例えば、屋上、ロビー、エントランス、ベランダ、室内、庭等に、設置することができる。
【０１０５】
また、本発明のプランターの用途は、特に限定されず、例えば、所定の部位（例えば、屋上等）の緑化、造園や菜園等が挙げられる。
【符号の説明】
【０１０６】
１              プランター
２              収容部
３              側板
３１            溝
３５            手掛け
４              側板
４１            溝
４５            手掛け
５              前板
５１            頂部
５３            開口
５５            手掛け
６              後板
６１            頂部
６３            開口
６４            溝部
６４１          底部
６４２          側部
６４３          開口
６５            手掛け
７              底板
７１            排出口
８、８ａ、８ｂ、８ｃ  土止め板
８１            頂部
８２            下部
８３            開口
８４            フック
９              中板
９１            開口
９２            脚部
１１１          第１の領域
１１２          第２の領域
１１３          第３の領域
１１４          第４の領域
【図１】
2010220514.tif 000003
【図２】
2010220514.tif 000004
【図３】
2010220514.tif 000005
【図４】
2010220514.tif 000006
【図５】
2010220514.tif 000007
【図６】
2010220514.tif 000008
【図７】
2010220514.tif 000009
【図８】
2010220514.tif 000010
【図９】
2010220514.tif 000011
【図１０】
2010220514.tif 000012
【図１１】
2010220514.tif 000013
【図１２】
2010220514.tif 000014
【図１３】
2010220514.tif 000015